(57)【要約】      （修正有）【課題】フィルムレスのティッシュペーパ用収容箱について使い勝手を向上させること。【解決手段】切込線３を形成するティッシュペーパ用収容箱１において、切込線は、中央の切込部３１と、中央の切込部の左右に連続して形成される左右の切込部３２を有するものであり、左右の切込部の両端を結ぶ各線分が谷折線３３となり、左右の対応する谷折線と切込部によって囲まれた領域を構成する箱本体２の一部が左右の扉片５となり、左右の切込部を破断することにより左右の谷折線を支点として左右の扉片がそれぞれ開閉可能となり、左右の扉片を開口することによりティッシュペーパの対応する側部を摘み出す為の左右の窓部がそれぞれ形成され、中央切込部は破断されることによりティッシュペーパの中央部を通過させるための通過口３１となると共に、通過口の前後にはティッシュペーパを挟む為の一対の挟持片４が分離して形成されることを特徴とする。【選択図】図１
2013256321.tif 000002
【特許請求の範囲】
【請求項１】
ティッシュペーパを収容する箱本体に対して切込線を形成し、切込線を破断することによって箱本体からティッシュペーパを取出し可能にするティッシュペーパ用収容箱において、
切込線は、中央の切込部と、中央の切込部の左右に連続して形成される左右の切込部を有するものであり、
左右の切込部の両端を結ぶ各線分が谷折線となり、左右の対応する谷折線と切込部によって囲まれた領域を構成する箱本体の一部が左右の扉片となり、
左右の切込部を破断することにより左右の谷折線を支点として左右の扉片がそれぞれ開閉可能となり、
左右の扉片を開口することによりティッシュペーパの対応する側部を摘み出す為の左右の窓部がそれぞれ形成され、
中央切込部は破断されることによりティッシュペーパの中央部を通過させるための通過口となると共に、通過口の前後にはティッシュペーパを挟む為の一対の挟持片が分離して形成されることを特徴とするティッシュペーパ用収容箱。
【請求項２】
左右の切込部は、左右対称形状であって、
左右の切込部は、Ｕ字状であって、各切込部の谷折線が中央の切込部の延長方向に対して交差する状態で配置されていることを特徴とする請求項１に記載のティッシュペーパ用収容箱。
【請求項３】
切込線は、左右の切込部の内側に間隔をあけて左右のミシン目をそれぞれ備え、
左右のミシン目の内側が左右の扉片を引き上げる為の指挿入片であることを特徴とする請求項２に記載のティッシュペーパ用収容箱。
【請求項４】
左右の切込部は、中央の切込部に対して、９０度よりも小さい角度で交差するようにそれぞれ連続することを特徴とする請求項１、２又は３に記載のティッシュペーパ用収容箱。
【発明の詳細な説明】
【技術分野】
【０００１】
本発明は、ティッシュペーパを収容するための箱に関する。
【背景技術】
【０００２】
従来から一般的なティッシュペーパ用収容箱としては、厚紙製である直方体形状の箱本体に対して、その上面の所定位置に環状の切込線が形成されたものが周知となっている。切込線を破断すると、切込線に囲まれていた厚紙部分が箱本体から外れ、厚紙部分がなくなった箇所にはティッシュペーパの取出口が形成される。そして、この取出口を覆うように、箱本体の内面側にはプラスチック製のフィルムが貼られている。
【０００３】
このようなフィルム付きのティッシュペーパ用収容箱は、廃棄する際には、プラスチック製品と紙を分別することが好ましいとされている。
【０００４】
そこで、廃棄する際の分別の容易さを考慮した、フィルムレスのティッシュペーパ用収容箱として、色々な特許出願がなされている。そのうちの一例としては、箱本体の上面に波状の切込線を設けたものが知られている（特許文献１参照。）。この切込線について詳しく説明すれば、左右方向に延長する切込線を破断すると、点対称的に半楕円状の引起し片が左右に形成され、これら引起し片を引き上げて斜めに傾けることによって、ティッシュペーパを引き出すための取出口が横一直線に形成されるようになっている。
【先行技術文献】
【特許文献】
【０００５】
【特許文献１】特開２００５−１７０４１４号公報
【発明の概要】
【発明が解決しようとする課題】
【０００６】
ところが、先に例示したものも含め現在まで特許出願されているフィルムレスのティッシュペーパ用収容箱は、フィルム付きのティッシュペーパ用収容箱に比べると、使い勝手において性能が劣るものであった。
【０００７】
例えば、フィルム付きのティッシュペーパ用収容箱であれば、フィルムに横一直線にスリットが形成されており、このスリットをティッシュペーパが通過するようになっていた。そして、一枚引き出す際には、次に使う一枚がフィルムのスリットで挟まれるので、ティッシュペーパを引き出し易いものであった。
【０００８】
しかしながら、前記した波状の切込線を入れたティッシュペーパ用収容箱にあっては、スリットのような前後から挟む部分がないため、ティッシュペーパを引き出し難いものであった。
【０００９】
また、フィルムがないと、箱本体の中に埃が入ってくるおそれがある。かといって、引起し片を元通りに倒して開口部を塞ぐようにすると、左右の引起し片によってティッシュペーパが波状によじれ、破れるおそれがある。
【００１０】
更には、引起し片を引起す際には、破断した切込線の中に指を差し込むようにしなければならず、操作性が悪い。
【００１１】
本発明は、上記実情を考慮したもので、フィルムレスのティッシュペーパ用収容箱について、上述したような使い勝手を従来よりも向上させることを目的とする。
【課題を解決するための手段】
【００１２】
本発明は、ティッシュペーパを収容する箱本体に対して切込線を形成し、切込線を破断することによって箱本体からティッシュペーパを取出し可能にするティッシュペーパ用収容箱において、切込線は、中央の切込部と、中央の切込部の左右に連続して形成される左右の切込部を有するものであり、左右の切込部の両端を結ぶ各線分が谷折線となり、左右の対応する谷折線と切込部によって囲まれた領域を構成する箱本体の一部が左右の扉片となり、左右の切込部を破断することにより左右の谷折線を支点として左右の扉片がそれぞれ開閉可能となり、左右の扉片を開口することによりティッシュペーパの対応する側部を摘み出す為の左右の窓部がそれぞれ形成され、中央切込部は破断されることによりティッシュペーパの中央部を通過させるための通過口となると共に、通過口の前後にはティッシュペーパを挟む為の一対の挟持片が分離して形成されることを特徴とする。
【００１３】
左右の切込部は、左右非対称形状であっても良いし、左右の切込部を主として形成される左右の扉片の形状は問わないが、次のようにすることが望ましい。
すなわち、左右の切込部は、左右対称形状であって、左右の切込部は、Ｕ字状であって、各切込部の谷折線が中央の切込部の延長方向に対して交差する状態で配置されていることである。
【００１４】
切込線は、左右の切込部と中央の切込部のみから構成されていても良いが、次のようにすることが望ましい。
すなわち、切込線は、左右の切込部の内側に間隔をあけて左右のミシン目をそれぞれ備え、左右のミシン目の内側が左右の扉片を引き上げる為の指挿入片とすることである。
【００１５】
左右の切込部が中央の切込部に対して交差する角度は問わないが、次のようにすることが望ましい。
すなわち、左右の切込部は、中央の切込部に対して、９０度よりも小さい角度で交差するようにそれぞれ連続することである。
【発明の効果】
【００１６】
本発明によれば、中央の切込部を破断することによって前後に分離した一対の挟持片によってティッシュペーパを挟むので、従来までのフィルム付きのティッシュペーパ用収容箱のように、ティッシュペーパを引き出し易い。
しかも、最初の一枚を取出す際には、左右の扉片を開いて大きな開口となっている窓部からティッシュペーパの側部を摘み出すことができるので、最初の一枚目については、従来までのフィルム付きのティッシュペーパ用収容箱よりも、引き出し易い。
更に、左右の扉片は折り曲げるだけで開閉でき、切り離すものではないので、使い初めにゴミとなるものが出ない。そして、開いた扉片を閉じれば、箱本体の中に埃などが入らなくて済む。
その上、本発明によれば、従来までのようなフィルムを不要とする構成であるので、廃棄する際の分別作業は不要となる。
【００１７】
また、左右の切込部は、左右対称形状であれば非常に使い勝手が良い。その上、左右の切込部は、Ｕ字状であって、各切込部の谷折線が中央の切込部の延長方向に対して交差する状態で配置されているのであれば、左右の扉片を開いた際には扉片が、通過口（元は中央の切込部）に対して左右方向に間隔をあけて外側に配置されるので、前後方向からティッシュペーパを引き出す際に扉片が邪魔にならずにすむ。
【００１８】
更に、左右の切込部の内側に間隔をあけて左右のミシン目を設け、各ミシン目の内側が左右の扉片を引き上げる為の指挿入片部であるものであれば、左右の扉片を引き上げる操作が容易に行える。
【００１９】
また、左右の切込部は、中央の切込部に対して、９０度よりも小さい角度でそれぞれ連続していれば、ティッシュペーパを引き出す際に左右の切込部と中央の切込部とでティッシュペーパが引っかかって裂けるような事態をできる限り防止できる。
【図面の簡単な説明】
【００２０】
【図１】本発明のティッシュペーパ用収容箱を示す斜視図である。
【図２】本発明のティッシュペーパ用収容箱の切込線を破断した状態を示す斜視図である。
【図３】本発明のティッシュペーパ用収容箱の使用状態を示す斜視図である。
【図４】本発明のティッシュペーパ用収容箱の使用を一時中断した状態を示す斜視図である。
【発明を実施するための形態】
【００２１】
本発明のティッシュペーパ用収容箱１は厚紙製であって、図１に示すように、直方体形状に組み立てられた箱本体２の上面に切込線３が形成されている。なお、切込線３とは、周知のように、厚紙に対して間隔をあけて切れ目を入れた線のことをいう。この切込線３の近傍を押し込むことにより、切込線３に沿って厚紙が破断される。
【００２２】
切込線３は、箱本体２の上面に左右対称的に形成されている。より詳しく言えば、切込線３は、中央の切込部３１と、左右の切込部３２、３２を主として構成され、これらが連続して形成されている。
【００２３】
中央の切込部３１は、箱本体２の前後方向の中間部において左右方向に延長している。また、中央の切込部３１の前後には、一対の挟持片４、４が中央の切込部３１を介して一体的に形成されている。
【００２４】
左右の切込部３２は、それぞれＵ字状である。そして、このＵ字の対向する一対の直線部３２ａは、中央の切込部３１と平行に、つまり左右方向に延長している。そして、一対の直線部３２ａを繋ぐ接続部３２ｂは図示の例では半円状であって、その中間部に対して中央の切込部３１の左端が交差するように連続している。また、接続部３２ｂの中間部は、中央の切込部３１に対して、９０度よりも小さい角度で連続するように、Ｖ字状に突出している。より詳しく言えば、接続部３２ｂの中間部は、一対の円弧部３２ｃ、３２ｃがＶ字状に連続して形成されたもので、図での手前側の円弧部３２ｃの中心が中央の切込部３１の手前側に配置されるような、位置関係となっている。なお、切込線３ではないが、各切込部３２の両端を結ぶ線分が谷折線３３である。図示の例では、谷折線３３には、厚紙を一直線に窪ませることによって折れ目が予め付けてあり、折り曲げ易くしてある。
【００２５】
また、各切込部３２の内側、つまり、対応する側の谷折線３３と切込部３２によって囲まれた領域（箱本体２の一部）が扉片５である。
【００２６】
また、切込線３は、左右の切込部３２、３２の内側に間隔をおいてミシン目３４、３４を左右対称的に備えている。より詳しく言えば、左右のミシン目３４、３４は、対応する扉片５の左右方向の内側部分に形成されている。また、左右のミシン目３４、３４は、円弧状というかＣ字状である。しかも、左右のミシン目３４、３４の円弧は、中央の切込部３１に向かって膨らむ状態に配置されており、左右方向の外側に向かって開口するようになっている。また、各ミシン目３４の両端を結ぶ線分が山折線３５である。図示の例では、山折線３５には、前記した谷折線３３と同様に折れ目が予め付けてある。
【００２７】
また、各ミシン目３４の内側、つまり、対応する側の山折線３５とミシン目３４によって囲まれた領域（箱本体２の一部）が指挿入片６である。
【００２８】
上記したティッシュペーパ用収容箱１は、以下の要領で使用する。
（１）まず、図１に示す全ての切込線３を破断する。これによって、Ｕ字状であった左右の切込部３２、３２の内側部分、つまり左右の扉片５、５が対応する側の谷折線３３を支点として開閉可能になる。また、中央の切込部３１は、ティッシュペーパＰの中央部を通過させるための通過口３１となると共に、ティッシュペーパＰを挟む為の一対の挟持片４、４が通過口３１の前後に分離して形成される。更に、Ｃ字状であった左右のミシン目３４、３４の内側部分、つまり指挿入片６、６が各々の山折線３５を支点として折り曲げ可能になる。
【００２９】
（２）続いて、左右の指挿入片６、６を押し込んで、指を左右の扉片５、５の下側に入れて引き上げる。このとき、指挿入片６、６が左右の扉片５、５の支点（谷折線３３）から遠い方に形成されているので、左右の扉片５、５の引き上げ操作がし易い。このようにして扉片５を引き上げると、図２に示すように、箱本体２の対応する部分に一対の窓部７、７が左右に間隔をあけて形成される。
【００３０】
（３）その後、左右の窓部７、７からティッシュペーパＰの対応する側部を摘んで引き上げると、図３に示すように、ティッシュペーパＰの中央部が、元々は中央の切込部３１であった通過口３１を通過して、ティッシュペーパＰの中央部が前後から一対の挟持片４、４で挟まれた形態となる。
【００３１】
（４）使用を一時的に中断する場合には、図４に示すように、左右の扉片５、５を閉じて左右の窓部７、７を塞ぐようにすると、ティッシュペーパＰが少し飛び出した状態で、箱本体２の中には埃などが入らないようになる。また、左右の扉片５、５は元々Ｕ字状である左右の切込部３２、３２を主として形成されたものであり、しかも、左右の切込部３２の中央部には円弧部３２ｃがＶ字状に連続した形態となっているので、全体として角のない滑らかな形態である。よって、一対の扉片５、５に挟まれたティッシュペーパＰが裂けることを極力防止できる。
【００３２】
本発明は上記実施形態に限定されるものではなく、その趣旨を逸脱しない範囲で変更が可能である。例えば、左右の扉片５、５は、片側は図示の例のように左右方向の外側の谷折線３３（前後方向に延長する谷折線３３）を支点として開くものであって、反対側は図示しないが、谷折線３３が左右方向に延長するものであっても良い。また、扉片５の形状もＵ字状に限らないし、更には左右で異なる形状であっても良い。
【符号の説明】
【００３３】
１ティッシュペーパ用収容箱
２箱本体
３切込線
４挟持片
５扉片
６指挿入片
７窓部
３１中央の切込部（通過口）
３２左の切込部、右の切込部
３２ａ直線部
３２ｂ接続部
３２ｃ円弧部
３３谷折線
３４ミシン目
３５山折線
Ｐティッシュペーパ
【図１】
2013256321.tif 000003
【図２】
2013256321.tif 000004
【図３】
2013256321.tif 000005
【図４】
2013256321.tif 000006